(57)【要約】【課題】棒状食品の搬入及び搬出角度を変更させることなく、マテリアルエフェクトを受けにくくして、金属片の検出感度を向上させる。【解決手段】検出用コイル１６ａが搬送手段１５の搬送方向Ｘに対して平面視で第１傾斜角度αを有するように架台１７に検出手段１６を配置する。この第１傾斜角度αは、変更可能とする。搬送手段１５に搬送方向Ｘに対して略垂直に投入された棒状食品２を検出用コイル１６ａに対して第２傾斜角度βを有して該検出用コイル１６ａ間に侵入するように角度を変えると共に、搬出時には搬送方向Ｘに対して略垂直になるように角度を戻す角度調整手段１４を設ける。【選択図】図５
2007298296.tif 000002
【特許請求の範囲】
【請求項１】
棒状食品を搬送する搬送手段と、
内部に上記搬送手段の上下に配置された検出用コイルを有し、該上下の検出用コイル間に搬送されてきた棒状食品内に混入した金属片を磁界の乱れにより検出する検出手段と、
上記搬送手段及び検出手段を載置するための架台とを備えた棒状食品用金属検出装置であって、
上記検出手段は、上記検出用コイルが搬送手段の搬送方向に対して平面視で第１傾斜角度を有するように傾斜して上記架台に配置され、
上記搬送手段には、上記搬送方向に対して略垂直に投入された棒状食品を上記検出用コイルに対して第２傾斜角度を有して該検出用コイル間に侵入するように角度を変えると共に、搬出時には上記搬送方向に対して略垂直になるように角度を戻す角度調整手段を備え、
上記検出手段は、上記第１傾斜角度を変更可能に上記架台に支持されている
ことを特徴とする棒状食品用金属検出装置。
【請求項２】
請求項１に記載の棒状食品用金属検出装置において、
上記搬送手段は、第１ベルトコンベアと第２ベルトコンベアとを備え、
上記角度調整手段は、第１ベルトコンベアと第２ベルトコンベアとの搬送速度を調整する速度調整手段と、上記棒状食品を上記検出手段に侵入する前に強制的に傾斜させる角度変更部材とで構成されている
ことを特徴とする棒状食品用金属検出装置。
【請求項３】
請求項２に記載の棒状食品用金属検出装置において、
上記第１ベルトコンベアと第２ベルトコンベアとは、同じ速度で回転する同径のプーリーを備え、
上記速度調整手段は、第１ベルトコンベアの第１丸ベルトの半径を第２ベルトコンベアの第２丸ベルトの半径よりも大きくすることで構成されている
ことを特徴とする棒状食品用金属検出装置。
【請求項４】
請求項３に記載の棒状食品用金属検出装置において、
上記角度変更部材は、上記第１ベルトコンベア近傍に立設された棒状部材で構成されている
したことを特徴とする棒状食品用金属検出装置。
【請求項５】
請求項１乃至４のいずれか１つに記載の棒状食品用金属検出装置を備えた棒状食品の出荷装置であって、
上記棒状食品の質量を測る棒状食品計量機と、
上記棒状食品計量機で計量されて一定量の分配された棒状食品を結束し、結束した棒状食品を上記棒状食品用金属検出装置に搬送方向に対して略垂直に搬出する棒状食品結束機と、
上記棒状食品用金属検出装置で検査された棒状食品を上記搬送方向に対して略垂直に並べるレールを備えた積上用台とを備えている
ことを特徴とする棒状食品の出荷装置。
【発明の詳細な説明】
【技術分野】
【０００１】
本発明は、麺類等の棒状食品に混入した金属片を検出する棒状食品用金属検出装置及びそれを備えた棒状食品の出荷装置に関するものである。
【背景技術】
【０００２】
従来より、金属検出器は、食品、薬品、化学製品等の幅広い業界で、ネジ、ナットなどの金属部品から縫製針をはじめとする金属片混入防止に使用され、製造ラインには不可欠な機械として定着している。
【０００３】
例えば、特許文献１では、被検体を搬送する搬送手段と、内部に該搬送手段の上下に配置された検出用コイルを有し、該上下の検出用コイル間に搬送されてきた被検体に混入した金属片を磁界の乱れにより検出する検出手段と、上記搬送手段及び検出手段を載置するための架台とを備えた金属検出装置が開示されている。
【０００４】
このような金属検出装置は、被検体が励磁コイルと検出コイルとの間を通る際、励磁コイルによる励振磁界が製品内の混入金属により鎖交磁束を変化させ、その変化により検出コイルの各々に起電力が生じて電流が流れ、その各々の電流の差により製品に混入した金属を検出するようになっている。
【特許文献１】特開昭５９−１６０７８７号公報
【発明の開示】
【発明が解決しようとする課題】
【０００５】
しかしながら、従来の金属検出装置では、検出用コイルを通過する際に実際に金属片が混入していないのに、金属検出装置が、被検体に金属片が混入しているかのように検出信号を出してしまうことがある。これは、マテリアルエフェクトと呼ばれ、金属検出装置の機能を著しく低下させる原因の１つとなっている。
【０００６】
このマテリアルエフェクトは、食品中の塩分が多く水分濃度が高い場合や、ベイキング直後の熱いパンに多く現れる。これは、塩分及び水分が製品自体の電気抵抗を下げ、電流を流しやすくすることから生じる。検出用コイルの磁界中に置かれたこの種の製品には渦電流が生じるが、この電流は、電気抵抗が小さければ小さいほど大きな電流となり、マテリアルエフェクトの影響は増大する。
【０００７】
特に、素麺、冷や麦、スパゲッティーその他の麺類のような棒状食品の金属検出を行う場合、検査後に棒状食品を効率よく積み上げるために、棒状食品は搬送方向に対して略垂直に配置された金属検出器の検出用コイルに対して平行に流されているが、この場合、急激なマテリアルエフェクトを受けるため、金属検出装置が本来持っている性能が発揮できず、金属片の検出感度を上げることができなかった。例えば、素麺内に混入した鉄線は、φ１．０〜１．５ｍｍ、ステンレス線は、φ１．２〜２．０ｍｍが限界であった。
【０００８】
本発明は、かかる点に鑑みてなされたものであり、その目的とするところは、検出用コイルに対する棒状食品の入射角を変更可能に構成することにより、棒状食品の搬入及び搬出角度を変更させることなく、マテリアルエフェクトを受けにくくして、金属片の検出感度を向上させることにある。
【課題を解決するための手段】
【０００９】
上記の目的を達成するために、第１の発明では、棒状食品を搬送する搬送手段と、
内部に上記搬送手段の上下に配置された検出用コイルを有し、該上下の検出用コイル間に搬送されてきた棒状食品内に混入した金属片を磁界の乱れにより検出する検出手段と、
上記搬送手段及び検出手段を載置するための架台とを備えた棒状食品用金属検出装置であって、
上記検出手段は、上記検出用コイルが搬送手段の搬送方向に対して平面視で第１傾斜角度を有するように傾斜して上記架台に配置され、
上記搬送手段には、上記搬送方向に対して略垂直に投入された棒状食品を上記検出用コイルに対して第２傾斜角度を有して該検出用コイル間に侵入するように角度を変えると共に、搬出時には上記搬送方向に対して略垂直になるように角度を戻す角度調整手段を備え、
上記検出手段は、上記第１傾斜角度を変更可能に上記架台に支持されている。
【００１０】
上記の構成によると、検出手段は、その検出用コイルが搬送方向に対して平面視で第１傾斜角度を有するように適切な角度に傾斜させて架台に配置される。搬送方向に対して略垂直に投入された棒状食品は、検出手段に向かう際、角度調整手段によって第２傾斜角度を有して検出用コイル間に侵入するように角度を変えられる。このため、棒状食品が上下に配置された検出用コイルの検出エリアに少しずつ侵入するので、急激なマテリアルエフェクトが避けられ、金属片の検出感度が向上する。検出用コイルを通過後には、角度調整手段によって棒状食品の角度が戻されて搬出時には搬送方向に対して略垂直になるので、検査後の詰込作業が容易である。また、検出手段は、第１傾斜角度を変更可能に架台に支持されているので、棒状食品の太さ等に合わせて第１傾斜角度を変更することで最も感度がよくなるように調整可能である。
【００１１】
第２の発明では、上記搬送手段は、第１ベルトコンベアと第２ベルトコンベアとを備え、
上記角度調整手段は、第１ベルトコンベアと第２ベルトコンベアとの搬送速度を調整する速度調整手段と、上記棒状食品を上記検出手段に侵入する前に強制的に傾斜させる角度変更部材とで構成されている。
【００１２】
上記の構成によると、例えば、速度調整手段により第１ベルトコンベアの搬送速度を第２ベルトコンベアの搬送速度よりも速くする場合、第１ベルトコンベア側に配置した角度変更部材で強制的に第２ベルトコンベア側に比べて遅れるように押されて角度を変更された棒状食品は、検出手段を通過後、第１ベルトコンベア側が第２ベルトコンベア側よりも速く進んで、搬送方向に対して略垂直になろうとする。そこで、この速度調整手段によって角度を適度に戻すように調整することによって、棒状食品がちょうど搬送方向に対して略垂直になるように搬出することが可能になる。
【００１３】
第３の発明では、上記第１ベルトコンベアと第２ベルトコンベアとは、同じ速度で回転する同径のプーリーを備え、
上記速度調整手段は、第１ベルトコンベアの第１丸ベルトの半径を第２ベルトコンベアの第２丸ベルトの半径よりも大きくすることで構成されている。
【００１４】
上記の構成によると、回転速度及び径が同じプーリーに半径の異なる丸ベルトを掛けると、半径の大きい丸ベルトの方が搬送速度が速くなる。このようにして速度調整手段が容易に実現される。
【００１５】
第４の発明では、上記角度変更部材は、上記第１ベルトコンベア近傍に立設された棒状部材で構成されている。
【００１６】
上記の構成によると、第１ベルトコンベアを進んできた棒状食品は、その第１ベルトコンベア側端部が棒状部材に当接し、強制的に第２ベルトコンベア側に比べて遅れるように押されて角度を変更された後、搬送される。棒状食品は、検出手段を通過後、速度調整手段によって角度を戻すように調整されて搬送方向に対して略垂直になるように搬出される。
【００１７】
第５の発明では、上記第１乃至第４の発明のいずれか１つに記載の棒状食品用金属検出装置を備えた棒状食品の出荷装置であって、
上記棒状食品の質量を測る棒状食品計量機と、
上記棒状食品計量機で計量されて一定量の分配された棒状食品を結束し、結束した棒状食品を上記棒状食品用金属検出装置に搬送方向に対して略垂直に搬出する棒状食品結束機と、
上記棒状食品用金属検出装置で検査された棒状食品を上記搬送方向に対して略垂直に並べるレールを備えた積上用台とを備えている。
【００１８】
上記の構成によると、棒状食品計量機で所定の質量に計量された棒状食品は、棒状食品結束機で結束され、棒状食品用金属検出装置に搬送方向に対して略垂直に搬出され、棒状食品用金属検出装置で金属片の有無を検査された後、積上用台のレール上に搬送方向に対して略垂直に並べられ、出荷用に詰め込まれる。このため、一連の出荷作業を効率よく行うことが可能である。
【発明の効果】
【００１９】
以上説明したように、本発明によれば、検出手段を架台に搬送方向に対して平面視で傾斜可能に支持し、搬送方向に対して略垂直に投入された棒状食品を検出用コイルに対して傾斜して侵入させ、搬出時には、搬送方向に対して略垂直になるように角度を戻すようにしたことにより、棒状食品の搬入及び搬出角度を変更させることなく、マテリアルエフェクトを受けにくくして、金属片の検出感度を向上させることができる。
【発明を実施するための最良の形態】
【００２０】
以下、本発明の実施形態を図面に基づいて説明する。
【００２１】
図１は、本発明の実施形態にかかる棒状食品用金属検出装置を備えた棒状食品の出荷装置の全体を示す平面図である。図２は、棒状食品用金属検出装置を示す斜視図である。
【００２２】
図１に示すように、棒状食品の出荷装置１は、そのライン上に棒状食品計量機３と、棒状食品結束機４と、本発明の実施形態にかかる棒状食品用金属検出装置５と、積上用台６と、作業台７と、木箱詰め込み台３２と、木箱計量器３４と、出荷用ローラーコンベア８とを備えている。なお、この出荷用ローラーコンベア８は、フリーローラーコンベアで構成されているが、ベルトコンベアで構成してもよい。
【００２３】
上記棒状食品計量機３は、一定の長さに裁断された素麺などの棒状食品２を計測して所定の質量分だけ分配するものである。
【００２４】
上記棒状食品結束機４は、棒状食品計量機３で計量されて一定量の分配された棒状食品２を結束し、結束した棒状食品２を棒状食品用金属検出装置５に搬送方向Ｘに対して略垂直に搬出するものである。なお、本実施形態では、棒状食品結束機４の後にアップコンベア９を配置して、棒状食品結束機４から搬出された棒状食品２を搬送方向Ｘに対して略垂直に保ったまま上昇させて棒状食品用金属検出装置５に搬送している。
【００２５】
図７に示すように、上記積上用台６は、棒状食品用金属検出装置５で検査された棒状食品２を上記搬送方向Ｘに対して略垂直に並べる一対のレール６ａを備えたものである。天板６ｂは、搬送方向Ｘに向かうに連れて上方に傾斜している。このことで、搬送されてきた棒状食品２が落ちにくくなっている。
【００２６】
図１に示すように、上記作業台７上には、計り１０が載置され、レール６ａに蓄積された棒状食品２を作業者１１が取り上げ、作業台７上の計り１０で抜き打ち検査をしながら、一定量を木箱１２内に詰め込むようになっている。
【００２７】
上記木箱詰め込み台３２上には、フリーローラー３３が載置されている。このフリーローラー３３上に木箱１２が載置されるようになっている。この棒状食品２が詰め込まれた木箱１２は、フリーローラー３３上を押されて木箱計量器３４上に載置された上で計量され、この計量された木箱１２が出荷用ローラーコンベア８で搬出されるようになっている。
【００２８】
図３は、搬送手段１５及び架台１７を示す平面図である。図４は、搬送手段１５及び架台１７を示す側面図である。図５は、素麺が流れる様子を説明する平面図である。上記棒状食品用金属検出装置５は、搬送手段１５と検出手段１６と架台１７とを備えている。架台１７は、搬送手段１５及び検出手段１６等を載置するためのものである。
【００２９】
図２に示すように、上記検出手段１６は、搬送手段１５で搬送されてきた棒状食品２を上下に配置された検出用コイル１６ａで挟み込んで棒状食品２内に混入した金属片を検出するものである。例えば、本実施形態では、金属片を検出すると警報ブザー２７（図６に示す）が鳴るようになっている。詳しくは図示しないが、通常、検出用コイル１６ａは、検出手段１６の長手方向に沿って搬送手段１５の上側に励磁コイルが配置され、下側に検出コイルが配置されている。図５に示すように、検出手段１６は、検出用コイル１６ａが搬送手段１５の搬送方向Ｘに対して平面視で第１傾斜角度αを有するように傾斜して架台１７に配置されているが、この第１傾斜角度αは、変更可能となっている。例えば、４０°＜α＜９０°となっている。
【００３０】
具体的には、図３及び図４に示すように、架台１７上には、回転台１７ａが載置され、この回転台１７ａが架台本体１７ｂに対して中心軸１７ｃを中心に回転可能に支持され、所定位置で固定可能となっている。例えば、棒状食品２が素麺のときの位置、冷や麦のときの位置等を明示しておけば、ユーザは中心軸１７ｃに設けたハンドル（図示せず）によって位置調整が行えるようになっている。
【００３１】
上記搬送手段１５は、棒状食品２を搬送するためのもので、第１ベルトコンベア１８と第２ベルトコンベア１９とを備えている。すなわち、第１ベルトコンベア１８と第２ベルトコンベア１９とは、同じ速度で回転する同径の第１及び第２プーリー２０，２１をそれぞれ備えている。第１プーリー２０間に第１丸ベルト２２が掛けられ、第２プーリー２１間に第２丸ベルト２３が掛けられている。上記架台１７上には、電動モーター２４が配置されている。搬出側の第１及び第２プーリー２０，２１は、駆動軸２５に連結され、駆動軸２５が電動モーター２４によって回転されている。搬入側の調整用プーリー２６で第１及び第２丸ベルト２２，２３の張力調整がなされている。なお、搬出側の搬送手段１５の下側には、上記警報ブザー２７が設けられている。
【００３２】
上記第１ベルトコンベア１８の第１丸ベルト２２の半径ｒ１は、第２ベルトコンベア１９の第２丸ベルト２３の半径ｒ２よりも大きくなっている（ｒ１＞ｒ２）。例えば、ｒ１＝３ｍｍ、ｒ２＝２．５ｍｍとする。回転速度及び径が同じ第１及び第２プーリー２０，２１に半径の異なる丸ベルトを掛けると、半径の大きい丸ベルトの方が搬送速度が速くなることから、第１ベルトコンベア１８の搬送速度ｓ１は、第２ベルトコンベア１９の搬送速度ｓ２よりも速くなっている（ｓ１＞ｓ２）。搬送速度の範囲は、およそ５ｍ／ｍｉｎ＜ｓ１，ｓ２＜１０ｍ／ｍｉｎとなっている。
【００３３】
図５に示すように、搬送手段１５には、搬送方向Ｘに対して略垂直に投入された棒状食品２を検出用コイル１６ａに対して第２傾斜角度βを有して該検出用コイル１６ａ間に侵入するように角度を変えると共に、搬出時には上記搬送方向Ｘに対して略垂直になるように角度を戻す角度調整手段１４を備えている。例えば、３０°＜β＜９０°となっている。なお、図５では、見やすくするために検出用コイル１６ａの手前での第２傾斜角度βを示しているが、実際には、検出用コイル１６ａに近付いているときには、棒状食品２は、搬送方向Ｘに対して徐々に垂直に戻ろうとするので、この図示のものよりも小さくなる。上記第２傾斜角度βの範囲は、あくまで検出用コイル１６ａ間に侵入する瞬間の角度の範囲を示している。
【００３４】
上記半径ｒ１，ｒ２の大きさに差を設けることで、第１ベルトコンベア１８と第２ベルトコンベア１９との搬送速度ｓ１，ｓ２を調整する速度調整手段１８が構成されている。
【００３５】
図６は、角度変更部材３０及びその周辺を拡大して示す斜視図である。図６に示すように、上記第１ベルトコンベア１８近傍には、棒状部材よりなる角度変更部材３０が立設されている。角度変更部材３０は、架台１７に取付ブラケット３１を介して取り付けられている。この取付ブラケット３１の取付位置は、調整可能となっており、棒状食品２の長さ等に合わせて角度変更部材３０の位置を調整することで、棒状食品２を検出手段１６に侵入する前に強制的に第１ベルトコンベア１８側が第２ベルトコンベア１９側に比べて遅れて検出手段１６に侵入するように構成されている。
【００３６】
これら速度調整手段１８，１９と角度変更部材３０とで角度調整手段１４が構成されている。
【００３７】
−作用−
次に、本実施形態にかかる棒状食品用金属検出装置５及び棒状食品２の出荷装置１の作動について説明する。
【００３８】
まず、棒状食品計量機３で所定の質量に計量された棒状食品２は、棒状食品結束機４で結束される。
【００３９】
次いで、棒状食品用金属検出装置５に搬送方向Ｘに対して略垂直に搬出される。
【００４０】
次に、棒状食品用金属検出装置５で金属片の有無を検査される。
【００４１】
ここで、検出手段１６は、その検出用コイル１６ａが搬送方向Ｘに対して平面視で第１傾斜角度αを有するように適切な角度に傾斜させて架台１７に配置される。検出手段１６は、第１傾斜角度αを変更可能に上記架台１７に支持されているので、棒状食品２の太さ等に合わせて第１傾斜角度αを変更することで最も感度がよくなるように調整される。
【００４２】
搬送方向Ｘに対して略垂直に投入された棒状食品２は、第１及び第２ベルトコンベア１８，１９によって搬送されて検出手段１６に向かう際、角度調整手段１４によって第２傾斜角度βを有して検出用コイル１６ａ間に侵入するように角度を変えられる。
【００４３】
つまり、棒状食品２の第１ベルトコンベア１８側端部が角度変更部材３０に当接し、強制的に第２ベルトコンベア１９側に比べて遅れるように押されて角度を変更された後、搬送される。このため、棒状食品２が上下に配置された検出用コイル１６ａの検出エリアに少しずつ侵入するので、急激なマテリアルエフェクトが避けられ、金属片の検出感度が向上する。
【００４４】
棒状食品２は、検出手段１６を通過後、速度調整手段１８，１９によって角度を戻すように調整されて搬送方向Ｘに対して略垂直になるように搬出される。このため、検査後の詰込作業が容易である。具体的には、第１ベルトコンベア１８側に配置した角度変更部材３０で強制的に第２ベルトコンベア１９側に比べて遅れるように押されて角度を変更された棒状食品２は、検出手段１６を通過後、第１ベルトコンベア１８側が第２ベルトコンベア１９側よりも速く進んで、搬送方向Ｘに対して略垂直になろうとする。そこで、この速度調整手段１８，１９によって角度を戻すように調整することによって、棒状食品２がちょうど搬送方向Ｘに対して略垂直になるように搬出することが可能になる。また、速度調整手段１８，１９又は角度変更部材３０のいずれを調整してもよいので、調整作業が容易である。
【００４５】
棒状食品用金属検出装置５において、棒状食品２内に金属片が混入しているのが確認されると、警報ブザー２７が鳴る。すると、作業者１１がその棒状食品２を取り上げる。
【００４６】
異常のない棒状食品２は、積上用台６のレール６ａ上を滑りながら搬送方向Ｘに対して略垂直に並ぶ。レール６ａに蓄積された棒状食品２を作業者１１が取り上げ、作業台７上の計り１０で抜き打ち検査をする。例えば、棒状食品２が素麺の場合、１束約５０ｇのものを６束集めて計り１０に載せ、約３００ｇであることを適宜確認する。
【００４７】
次いで、フリーローラー３３上の木箱１２に棒状食品２が詰め込まれる。例えば、約２０ｋｇ詰め込む。
【００４８】
次いで、棒状食品２が詰め込まれた木箱１２をフリーローラー３３上滑らせて木箱計量器３４上に載置し、約２０ｋｇであることを確認する。
【００４９】
次いで、約２０ｋｇであることを確認した木箱１２が出荷用ローラーコンベア８で搬出される。このように、一連の出荷作業が棒状食品２の出荷装置１によって効率よく行われる。
【００５０】
−実施形態の効果−
したがって、本実施形態にかかる棒状食品用金属検出装置５によると、検出手段１６を架台１７に搬送方向Ｘに対して平面視で傾斜可能に支持し、搬送方向Ｘに対して略垂直に投入された棒状食品２を検出用コイル１６ａに対して傾斜して侵入させ、搬出時には、搬送方向Ｘに対して略垂直になるように角度を戻すようにしたことにより、棒状食品２の搬入及び搬出角度を変更させることなく、マテリアルエフェクトを受けにくくして、金属片の検出感度を向上させることができる。具体的には、素麺内に混入した鉄線は、φ０．５ｍｍ程度、ステンレス線は、φ０．８ｍｍ程度のものが検出可能となった。
【００５１】
（その他の実施形態）
本発明は、上記実施形態について、以下のような構成としてもよい。
【００５２】
すなわち、上記実施形態では、棒状食品として、素麺の例を示したが、冷や麦、うどん、スパゲッティーその他の麺類だけでなく、長細い食品の金属片を検知するものであれば、本発明が適用できる。
【００５３】
また、既存の棒状食品用金属検出装置の架台、搬送手段を改造することでも容易に本発明は実現可能である。その場合には、例えば、新たに架台に回転台１７ａを設けると共に、角度変更部材３０を適切な位置に取り付け、第１丸ベルトを太いものに交換する等により対応すればよい。このため、既存の棒状食品用金属検出装置を、安価かつ容易に棒状食品の搬入及び搬出角度を変更させることなく、マテリアルエフェクトを受けにくくして、金属片の検出感度を向上させることができる
なお、以上の実施形態は、本質的に好ましい例示であって、本発明、その適用物や用途の範囲を制限することを意図するものではない。
【産業上の利用可能性】
【００５４】
以上説明したように、本発明は、素麺、冷や麦などの棒状食品に混入した鉄線やステンレス線などの細長い金属片を検出する棒状食品用金属検出装置及びそれを備えた棒状食品の出荷装置について有用である。
【図面の簡単な説明】
【００５５】
【図１】本発明の実施形態にかかる棒状食品用金属検出装置を備えた棒状食品の出荷装置の全体を示す平面図である。
【図２】棒状食品用金属検出装置を示す斜視図である。
【図３】搬送手段及び架台を示す平面図である。
【図４】搬送手段及び架台をIV方向から見た側面図である。
【図５】素麺が流れる様子を説明する平面図である。
【図６】角度変更部材及びその周辺を拡大して示す斜視図である。
【図７】積上用台を示す斜視図である。
【符号の説明】
【００５６】
１      出荷装置
２      棒状食品
３      棒状食品計量機
４      棒状食品結束機
５      棒状食品用金属検出装置
６      積上用台
６ａ    レール
１４      角度調整手段
１５      搬送手段
１６      検出手段
１６ａ    検出用コイル
１７      架台
１８      第１ベルトコンベア（速度調整手段）
１９      第２ベルトコンベア（速度調整手段）
２０      第１プーリー
２１      第２プーリー
２２      第１丸ベルト
２３      第２丸ベルト
３０      角度変更部材
【図１】
2007298296.tif 000003
【図２】
2007298296.tif 000004
【図３】
2007298296.tif 000005
【図４】
2007298296.tif 000006
【図５】
2007298296.tif 000007
【図６】
2007298296.tif 000008
【図７】
2007298296.tif 000009